(57)【要約】  本願の実施例は、チャネルモニタリング方法及び装置、端末装置並びにネットワーク装置を開示する。前記方法は、端末装置がネットワーク装置からの第１サーチスペース構成情報及び第２サーチスペース構成情報を受信することと、前記端末装置が第１タイマー及び／又は第１制御情報に基づいて、前記第１サーチスペース構成情報又は前記第２サーチスペース構成情報に基づく下り制御チャネルモニタリングを行うことを決定することと、を含む。
2021536162.tif 000002
【特許請求の範囲】
【請求項１】
端末装置がネットワーク装置からの第１サーチスペース構成情報及び第２サーチスペース構成情報を受信することと、
前記端末装置が第１タイマー及び／又は第１制御情報に基づいて、前記第１サーチスペース構成情報又は前記第２サーチスペース構成情報に基づく下り制御チャネルモニタリングを行うことを決定することと、を含む、チャネルモニタリング方法。
【請求項２】
前記第１タイマーの構成情報は、前記ネットワーク装置により構成されたものであり、又は、
前記第１タイマーの構成情報は、事前定義されたものであることを特徴とする
請求項１に記載の方法。
【請求項３】
前記第１タイマーの構成情報は、前記第１タイマーの第１時間長情報を含むことを特徴とする
請求項２に記載の方法。
【請求項４】
前記第１タイマーに基づいて、前記第１サーチスペース構成情報又は前記第２サーチスペース構成情報に基づく下り制御チャネルモニタリングを行うことを決定することは、
前記端末装置が前記第１タイマーを実行し、前記第１サーチスペース構成情報に対応するサーチスペースに基づいて、下り制御チャネルモニタリングを行うことと、
前記端末装置がいずれかの下り制御チャネルモニタリング時刻で前記端末装置に対する下り制御チャネルを検出した場合、前記第１タイマーを再起動し、前記端末装置が前記端末装置に対する下り制御チャネルを検出しなかった場合、第１タイマーが継続して計時することと、
前記第１タイマーがタイムアウトした場合、前記端末装置が前記第２サーチスペース構成情報に対応するサーチスペースに切り替えて下り制御チャネルモニタリングを行うことと、を含むことを特徴とする
請求項１から３のうちいずれか一項に記載の方法。
【請求項５】
前記端末装置が前記端末装置に対する下り制御チャネルを検出しなかった場合、第１タイマーが継続して計時することは、
前記端末装置が１つの下り制御チャネルモニタリング時刻で前記端末装置に対する下り制御チャネルを検出しなかった場合、前記第１タイマーの計数が増加することを含むことを特徴とする
請求項４に記載の方法。
【請求項６】
前記端末装置が前記ネットワーク装置からの第１制御情報を受信することであって、前記第１制御情報は、下り制御情報（ＤＣＩ）又はメディアアクセス制御制御要素（ＭＡＣ  ＣＥ）である、ことを更に含むことを特徴とする
請求項１から５のうちいずれか一項に記載の方法。
【請求項７】
前記第１制御情報に基づいて、前記第１サーチスペース構成情報又は前記第２サーチスペース構成情報に基づく下り制御チャネルモニタリングを行うことを決定することは、
前記端末装置が前記第１制御情報を受信した直後に、前記第１制御情報により示されるターゲットサーチスペース構成情報に対応するサーチスペースで下り制御チャネルモニタリングを行うことであって、前記第１制御情報により示されるターゲットサーチスペース構成情報は、前記第１サーチスペース構成情報又は前記第２サーチスペース構成情報である、ことを含むことを特徴とする
請求項１から６のうちいずれか一項に記載の方法。
【請求項８】
前記第１制御情報に基づいて、前記第１サーチスペース構成情報又は前記第２サーチスペース構成情報に基づく下り制御チャネルモニタリングを行うことを決定することは、
前記端末装置が前記第１制御情報を受信した場合、第２時間長を経過した後、前記第１制御情報により示されるターゲットサーチスペース構成情報に対応するサーチスペースで下り制御チャネルモニタリングを行うことであって、前記第１制御情報により示されるターゲットサーチスペース構成情報は、前記第１サーチスペース構成情報又は前記第２サーチスペース構成情報である、ことを含むことを特徴とする
請求項１から６のうちいずれか一項に記載の方法。
【請求項９】
前記第２時間長は、前記ネットワーク装置により構成されたものであり、又は、
前記第２時間長は、事前定義されたものであることを特徴とする
請求項８に記載の方法。
【請求項１０】
前記第１サーチスペース構成情報又は前記第２サーチスペース構成情報は、１つ又は複数のサーチスペースの構成情報を含むことを特徴とする
請求項１から９のうちいずれか一項に記載の方法。
【請求項１１】
ネットワーク装置が端末装置に第１サーチスペース構成情報及び第２サーチスペース構成情報を送信することであって、前記第１サーチスペース構成情報及び前記第２サーチスペース構成情報は、前記端末装置が第１タイマー及び／又は第１制御情報に基づいて、前記第１サーチスペース構成情報又は前記第２サーチスペース構成情報に基づく下り制御チャネルモニタリングの行いを決定するためのものである、ことを含む、チャネルモニタリング方法。
【請求項１２】
前記第１タイマーの構成情報は、前記ネットワーク装置により構成されたものであり、又は、
前記第１タイマーの構成情報は、事前定義されたものであることを特徴とする
請求項１１に記載の方法。
【請求項１３】
前記第１タイマーの構成情報は、前記第１タイマーの第１時間長情報を含むことを特徴とする
請求項１１又は１２に記載の方法。
【請求項１４】
前記ネットワーク装置が前記端末装置に前記第１制御情報を送信することであって、前記第１制御情報は、下り制御情報（ＤＣＩ）又はメディアアクセス制御制御要素（ＭＡＣ  ＣＥ）である、ことを更に含むことを特徴とする
請求項１１から１３のうちいずれか一項に記載の方法。
【請求項１５】
前記第１サーチスペース構成情報又は前記第２サーチスペース構成情報は、１つ又は複数のサーチスペースの構成情報を含むことを特徴とする
請求項１１から１４のうちいずれか一項に記載の方法。
【請求項１６】
ネットワーク装置からの第１サーチスペース構成情報及び第２サーチスペース構成情報を受信するように構成される第１受信ユニットと、
第１タイマー及び／又は第１制御情報に基づいて、前記第１サーチスペース構成情報又は前記第２サーチスペース構成情報に基づく下り制御チャネルモニタリングを行うことを決定するように構成されるモニタリングユニットと、を備える、チャネルモニタリング装置。
【請求項１７】
前記第１タイマーの構成情報は、前記ネットワーク装置により構成されたものであり、又は、
前記第１タイマーの構成情報は、事前定義されたものであることを特徴とする
請求項１６に記載の装置。
【請求項１８】
前記第１タイマーの構成情報は、前記第１タイマーの第１時間長情報を含むことを特徴とする
請求項１７に記載の装置。
【請求項１９】
前記モニタリングユニットは、前記第１タイマーを実行し、前記第１サーチスペース構成情報に対応するサーチスペースに基づいて、下り制御チャネルモニタリングを行い、いずれかの下り制御チャネルモニタリング時刻で前記端末装置に対する下り制御チャネルが検出された場合、前記第１タイマーを再起動し、前記端末装置に対する下り制御チャネルが検出されていない場合、前記第１タイマーが継続して計時し、前記第１タイマーがタイムアウトした場合、前記第２サーチスペース構成情報に対応するサーチスペースに切り替えて下り制御チャネルモニタリングを行うように構成されることを特徴とする
請求項１６から１８のうちいずれか一項に記載の装置。
【請求項２０】
前記モニタリングユニットは、１つの下り制御チャネルモニタリング時刻で前記端末装置に対する下り制御チャネルが検出されていない場合、前記第１タイマーの計数が増加するように構成されることを特徴とする
請求項１９に記載の装置。
【請求項２１】
前記ネットワーク装置からの前記第１制御情報を受信するように構成される第２受信ユニットであって、前記第１制御情報は、下り制御情報（ＤＣＩ）又はメディアアクセス制御制御要素（ＭＡＣ  ＣＥ）である、第２受信ユニットを更に備えることを特徴とする
請求項１６から２０のうちいずれか一項に記載の装置。
【請求項２２】
前記モニタリングユニットは、前記第２受信ユニットが前記第１制御情報を受信した直後に、前記第１制御情報により示されるターゲットサーチスペース構成情報に対応するサーチスペースで下り制御チャネルモニタリングを行うように構成され、前記第１制御情報により示されるターゲットサーチスペース構成情報は、前記第１サーチスペース構成情報又は前記第２サーチスペース構成情報であることを特徴とする
請求項１６から２１のうちいずれか一項に記載の装置。
【請求項２３】
前記モニタリングユニットは、前記第２受信ユニットが前記第１制御情報を受信した場合、第２時間長を経過した後、前記第１制御情報により示されるターゲットサーチスペース構成情報に対応するサーチスペースで下り制御チャネルモニタリングを行うように構成され、前記第１制御情報により示されるターゲットサーチスペース構成情報は、前記第１サーチスペース構成情報又は前記第２サーチスペース構成情報であることを特徴とする
請求項１６から２１のうちいずれか一項に記載の装置。
【請求項２４】
前記第２時間長は、前記ネットワーク装置により構成されたものであり、又は、
前記第２時間長は、事前定義されたものであることを特徴とする
請求項２３に記載の装置。
【請求項２５】
前記第１サーチスペース構成情報又は前記第２サーチスペース構成情報は、１つ又は複数のサーチスペースの構成情報を含むことを特徴とする
請求項１６から２４のうちいずれか一項に記載の装置。
【請求項２６】
端末装置に第１サーチスペース構成情報及び第２サーチスペース構成情報を送信するように構成される第１送信ユニットであって、前記第１サーチスペース構成情報及び前記第２サーチスペース構成情報は、前記端末装置が第１タイマー及び／又は第１制御情報に基づいて、前記第１サーチスペース構成情報又は前記第２サーチスペース構成情報に基づく下り制御チャネルモニタリングの行いを決定するためのものである、第１送信ユニットを備える、チャネルモニタリング装置。
【請求項２７】
前記第１タイマーの構成情報は、前記ネットワーク装置により構成されたものであり、又は、
前記第１タイマーの構成情報は、事前定義されたものであることを特徴とする
請求項２６に記載の装置。
【請求項２８】
前記第１タイマーの構成情報は、前記第１タイマーの第１時間長情報を含むことを特徴とする
請求項２６又は２７に記載の装置。
【請求項２９】
前記端末装置に前記第１制御情報を送信するように構成される第２送信ユニットであって、前記第１制御情報は、下り制御情報（ＤＣＩ）又はメディアアクセス制御制御要素（ＭＡＣ  ＣＥ）である、第２送信ユニットを更に備えることを特徴とする
請求項２６から２８のうちいずれか一項に記載の装置。
【請求項３０】
前記第１サーチスペース構成情報又は前記第２サーチスペース構成情報は、１つ又は複数のサーチスペースの構成情報を含むことを特徴とする
請求項２６から２９のうちいずれか一項に記載の装置。
【請求項３１】
コンピュータプログラムを記憶するように構成されるメモリと、
前記メモリに記憶されたコンピュータプログラムを呼び出して実行して、請求項１から１０のうちいずれか一項に記載の方法を実行するように構成されるプロセッサと、を備える端末装置。
【請求項３２】
コンピュータプログラムを記憶するように構成されるメモリと、
前記メモリに記憶されたコンピュータプログラムを呼び出して実行して、請求項１１から１５のうちいずれか一項に記載の方法を実行するように構成されるプロセッサと、を備えるネットワーク装置。
【請求項３３】
メモリからコンピュータプログラムを呼び出して実行して、チップが搭載されている装置に請求項１から１０のうちいずれか一項に記載の方法を実行させるように構成されるプロセッサを備えるチップ。
【請求項３４】
メモリからコンピュータプログラムを呼び出して実行して、チップが搭載されている装置に請求項１１から１５のうちいずれか一項に記載の方法を実行させるように構成されるプロセッサを備えるチップ。
【請求項３５】
コンピュータに請求項１から１０のうちいずれか一項に記載の方法を実行させるためのコンピュータプログラムを記憶したコンピュータ可読記憶媒体。
【請求項３６】
コンピュータに請求項１１から１５のうちいずれか一項に記載の方法を実行させるためのコンピュータプログラムを記憶したコンピュータ可読記憶媒体。
【請求項３７】
コンピュータに請求項１から１０のうちいずれか一項に記載の方法を実行させるためのコンピュータプログラム命令を含むコンピュータプログラム製品。
【請求項３８】
コンピュータに請求項１１から１５のうちいずれか一項に記載の方法を実行させるためのコンピュータプログラム命令を含む、コンピュータプログラム製品。
【請求項３９】
コンピュータに請求項１から１０のうちいずれか一項に記載の方法を実行させるためのコンピュータプログラム。
【請求項４０】
コンピュータに請求項１１から１５のうちいずれか一項に記載の方法を実行させるためのコンピュータプログラム。
【発明の詳細な説明】
【技術分野】
【０００１】
本願の実施例は、移動通信技術分野に関し、具体的にはチャネルモニタリング方法及び装置、端末装置並びにネットワーク装置に関する。
【背景技術】
【０００２】
第５世代（５Ｇ：５ｔｈ  Ｇｅｎｅｒａｔｉｏｎ）技術に関する検討及び規格化により、ワイドバンド無線移動通信に、より高いビークレート、より大きな送信帯域幅、より低い伝送遅延を持たせる。例えば、５Ｇ端末装置の動作帯域幅は、１００ＭＨｚから数百ＭＨｚ程度であり、データ伝送レートは、Ｇｂｐｓレベルであり、伝送遅延は、ｍｓレベルに低下した。
【０００３】
しかしながら、端末装置について言えば、実現及び具体的な使用上の問題が引き起こされてしまう。例えば、ワイドバンド端末装置の無線周波数及び急速なベースバンド処理により、端末装置の電力消費は、従来の無線通信システムよりも大きくなる。これは、５Ｇ端末装置の待機時間及び使用期間に影響を与え、延いては端末装置のバッテリの態様年数にも影響を与えてしまう。
【０００４】
なお、端末装置が無線リソース制御（ＲＲＣ：Ｒａｄｉｏ  Ｒｅｓｏｕｒｃｅ  Ｃｏｎｔｒｏｌ）接続状態である場合、大量の電力が浪費されてしまう。例えば、端末装置は、ＲＲＣ接続状態で、物理下り制御チャネルサーチスペース（ＰＤＣＣＨ  ｓｅａｒｃｈ  ｓｐａｃｅ：Ｐｈｙｓｉｃａｌ  Ｄｏｗｎｌｉｎｋ  Ｃｏｎｔｒｏｌ  Ｃｈａｎｎｅｌ  ｓｅａｒｃｈ  ｓｐａｃｅ）の配置に基づいて、物理下り制御チャネルサーチスペース（ＰＤＣＣＨ：Ｐｈｙｓｉｃａｌ  Ｄｏｗｎｌｉｎｋ  Ｃｏｎｔｒｏｌ  Ｃｈａｎｎｅｌ）を周期的にモニタリングする必要がある。しかしながら、少量のＰＤＣＣＨ伝送スロットのみで、ネットワークは、端末装置についてスケジューリングを開始するが、他の大量のスロットで、該端末装置に関するスケジューリングが行わず、つまり、該端末装置に関するＰＤＣＣＨ送信が行わない。
【０００５】
従って、如何に端末装置のＰＤＣＣＨモニタリングを最適化して端末装置によるＰＤＣＣＨ受信プロセスにおける電力浪費を減少させるかは、解決すべき課題である。
【発明の概要】
【発明が解決しようとする課題】
【０００６】
本願の実施例は、チャネルモニタリング方法及び装置、端末装置並びにネットワーク装置を提供する。
【課題を解決するための手段】
【０００７】
本願の実施例で提供されるチャネルモニタリング方法は、
端末装置がネットワーク装置からの第１サーチスペース構成情報及び第２サーチスペース構成情報を受信することと、
前記端末装置が第１タイマー及び／又は第１制御情報に基づいて、前記第１サーチスペース構成情報又は前記第２サーチスペース構成情報に基づく下り制御チャネルモニタリングを行うことを決定することと、を含む。
【０００８】
本願の実施例で提供されるチャネルモニタリング方法は、
ネットワーク装置が端末装置に第１サーチスペース構成情報及び第２サーチスペース構成情報を送信することであって、前記第１サーチスペース構成情報及び前記第２サーチスペース構成情報は、前記端末装置が第１タイマー及び／又は第１制御情報に基づいて、前記第１サーチスペース構成情報又は前記第２サーチスペース構成情報に基づく下り制御チャネルモニタリングの行いを決定するためのものである、ことを含む。
【０００９】
本願の実施例で提供されるチャネルモニタリング装置は、
ネットワーク装置からの第１サーチスペース構成情報及び第２サーチスペース構成情報を受信するように構成される第１受信ユニットと、
第１タイマー及び／又は第１制御情報に基づいて、前記第１サーチスペース構成情報又は前記第２サーチスペース構成情報に基づく下り制御チャネルモニタリングを行うことを決定するように構成されるモニタリングユニットと、を備える。
【００１０】
本願の実施例で提供されるチャネルモニタリング装置は、
端末装置に第１サーチスペース構成情報及び第２サーチスペース構成情報を送信するように構成される第１送信ユニットであって、前記第１サーチスペース構成情報及び前記第２サーチスペース構成情報は、前記端末装置が第１タイマー及び／又は第１制御情報に基づいて、前記第１サーチスペース構成情報又は前記第２サーチスペース構成情報に基づく下り制御チャネルモニタリングの行いを決定するためのものである、第１送信ユニットを備える。
【００１１】
本願の実施例で提供される端末装置は、コンピュータプログラムを記憶するように構成されるメモリと、前記メモリに記憶されたコンピュータプログラムを呼び出して実行して、上記チャネルモニタリング方法を実行するように構成されるプロセッサと、を備える。
【００１２】
本願の実施例で提供されるネットワーク装置は、コンピュータプログラムを記憶するように構成されるメモリと、前記メモリに記憶されたコンピュータプログラムを呼び出して実行して、上記チャネルモニタリング方法を実行するように構成されるプロセッサと、を備える。
【００１３】
本願の実施例で提供されるチップは、上記チャネルモニタリング方法を実現させるように構成される。
【００１４】
具体的には、該チップは、メモリからコンピュータプログラムを呼び出して実行して、該チップが搭載されている装置に上記チャネルモニタリング方法を実行させるように構成されるプロセッサを備える。
【００１５】
本願の実施例で提供されるコンピュータ可読記憶媒体は、コンピュータに上記チャネルモニタリング方法を実行させるためのコンピュータプログラムを記憶する。
【００１６】
本願の実施例で提供されるコンピュータプログラム製品は、コンピュータに上記チャネルモニタリング方法を実行させるためのコンピュータプログラム命令を含む。
【００１７】
本願の実施例で提供されるコンピュータプログラムは、コンピュータに上記チャネルモニタリング方法を実行させるためである。
【発明の効果】
【００１８】
上記技術的解決手段によれば、第１タイマー及び／又は第１制御情報に基づいて、前記第１サーチスペース構成情報又は前記第２サーチスペース構成情報に基づく下り制御チャネルモニタリングを行うことを決定する。これにより、端末装置は、トラフィックスケジューリングに基づいて、モニタリングされるべきＰＤＣＣＨ  ｓｅａｒｃｈ  ｓｐａｃｅを選択する。また、トラフィックが低いか又は存在しない場合、端末装置は、周期が長いＰＤＣＣＨ  ｓｅａｒｃｈ  ｓｐａｃｅを選択し、ＰＤＣＣＨモニタリングの電力消費の節約を実現させる。
【図面の簡単な説明】
【００１９】
【図１】本願の実施例による通信システムアーキテクチャを示す概略図である。
【図２】本願の実施例によるチャネルモニタリング方法を示す第１フローチャートである。
【図３】本願の実施例によるチャネルモニタリング方法を示す第２フローチャートである。
【図４】本願の実施例によるＰＤＣＣＨ  ｓｅａｒｃｈ  ｓｐａｃｅモニタリングを示す第１概略図である。
【図５】本願の実施例によるＰＤＣＣＨ  ｓｅａｒｃｈ  ｓｐａｃｅモニタリングを示す第２概略図である。
【図６】本願の実施例によるチャネルモニタリング装置の構造を示す第１概略図である。
【図７】本願の実施例によるチャネルモニタリング装置の構造を示す第２概略図である。
【図８】本願の実施例による通信装置の構造を示す概略図である。
【図９】本願の実施例によるチップの構造を示す概略図である。
【図１０】本願の実施例による通信システムを示すブロック図である。
【発明を実施するための形態】
【００２０】
ここの図面は、本発明の一層の理解のために含めたものであり、本明細書に導入されてその一部となる。本発明の概略的な実施例及びその説明は、本発明の解説に用いるものであるが、本発明を不当に限定するものではない。
【００２１】
以下、本願の実施例における図面を参照しながら、本願の実施例における技術的解決手段を説明する。勿論、記述される実施例は、全ての実施例ではなく、ただ本願の一部の実施例である。本願における実施例に基づいて、当業者が創造的な労力なしに得られる他の実施例の全ては、本願の保護の範囲に含まれる。
【００２２】
本願の実施例の技術的解決手段は、例えばグローバルモバイル通信（Ｇｌｏｂａｌ  Ｓｙｓｔｅｍ  ｏｆ  Ｍｏｂｉｌｅ  Ｃｏｍｍｕｎｉｃａｔｉｏｎ：ＧＳＭ）システム、符号分割多元接続（Ｃｏｄｅ  Ｄｉｖｉｓｉｏｎ  Ｍｕｌｔｉｐｌｅ  Ａｃｃｅｓｓ：ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：ＷＣＤＭＡ）システム、汎用パケット無線サービス（Ｇｅｎｅｒａｌ  Ｐａｃｋｅｒ  Ｒａｄｉｏ  Ｓｅｒｖｉｃｅ：ＧＰＲＳ）、長期的進化（Ｌｏｎｇ  Ｔｅｒｍ  Ｅｖｏｌｕｔｉｏｎ：ＬＴＥ）システム、ＬＴＥ周波数分割複信（Ｆｒｅｑｕｅｎｃｙ  Ｄｉｖｉｓｉｏｎ  Ｄｕｐｌｅｘ：ＦＤＤ）システム、ＬＴＥ時分割複信（Ｔｉｍｅ  Ｄｉｖｉｓｉｏｎ  Ｄｕｐｌｅｘ：ＴＤＤ）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：ＵＭＴＳ）、ワイマックス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ：ＷｉＭＡＸ）通信システム又は５Ｇシステムといった種々の通信システムに適用されてもよい。
【００２３】
例示的には、本願の実施例に適用した通信システム１００は図１に示すとおりである。該通信システム１００は、ネットワーク装置１１０を備えてもよい。ネットワーク装置１１０は、端末１２０（通信端末装置、端末装置とも呼ばれる）と通信を行う装置であってもよい。ネットワーク装置１１０は、特定の地理的エリアに対して通信カバレッジを提供し、且つ該カバレッジ内に位置する端末装置と通信を行うことができる。任意選択的に、該ネットワーク装置１１０は、ＧＳＭシステム又はＣＤＭＡシステムにおける基地局（Ｂａｓｅ  Ｔｒａｎｓｃｅｉｖｅｒ  Ｓｔａｔｉｏｎ：ＢＴＳ）であってもよく、ＷＣＤＭＡシステムにおける基地局（ＮｏｄｅＢ：ＮＢ）であってもよく、また、ＬＴＥシステムにおける進化型基地局（Ｅｖｏｌｕｔｉｏｎａｌ  ＮｏｄｅＢ：ｅＮＢ又はｅＮｏｄｅＢ）であってもよく、更にクラウド無線アクセスネットワーク（Ｃｌｏｕｄ  Ｒａｄｉｏ  Ａｃｃｅｓｓ  Ｎｅｔｗｏｒｋ：ＣＲＡＮ）における無線コントローラであってもよい。又は、該ネットワーク装置は、モバイルスイッチングセンタ、中継局、アクセスポイント、車載装置、ウェアラブル装置、ハブ、スイッチ、ブリッジ、ルータ、５Ｇネットワークにおけるネットワーク側装置又は将来の進化型公衆地上移動体ネットワーク（Ｐｕｂｌｉｃ  Ｌａｎｄ  Ｍｏｂｉｌｅ  Ｎｅｔｗｏｒｋ：ＰＬＭＮ）におけるネットワーク装置等であってもよい。
【００２４】
該通信システム１００は、ネットワーク装置１１０のカバレッジ範囲内に位置する少なくとも１つの端末装置１２０を更に備える。ここで使用される「端末装置」は、公衆交換電話網（Ｐｕｂｌｉｃ  Ｓｗｉｔｃｈｅｄ  Ｔｅｌｅｐｈｏｎｅ  Ｎｅｔｗｏｒｋｓ：ＰＳＴＮ）、デジタル加入者回線（Ｄｉｇｉｔａｌ  Ｓｕｂｓｃｒｉｂｅｒ  Ｌｉｎｅ：ＤＳＬ）、デジタルケーブル、直接ケーブルのような有線回線を経由して接続される装置、及び／又は別のデータ接続／ネットワークを経由して接続される装置、及び／又はセルラーネットワーク、無線ローカルエリアネットワーク（Ｗｉｒｅｌｅｓｓ  Ｌｏｃａｌ  Ａｒｅａ  Ｎｅｔｗｏｒｋ：ＷＬＡＮ）、ＤＶＢ−Ｈ  ネットワークのようなデジタルテレビジョンネットワーク、衛星ネットワーク、ＡＭ−ＦＭ放送送信機のような無線インタフェースを経由して接続される装置、及び／又は別の端末における、通信信号を受信／送信するように構成される装置、及び／又はモノのインターネット（Ｉｎｔｅｒｎｅｔ  ｏｆ  Ｔｈｉｎｇｓ：ＩｏＴ）装置を含むが、これらに限定されない。無線通信インタフェースを経由して通信を行うように構成される端末は、「無線通信端末」、「無線端末」、又は「携帯端末」と呼ばれてもよい。携帯端末の例は、衛星電話またはセルラー電話、セルラー無線電話とデータ処理、ファクシミリ及びデータ通信能力とを組み合わせることができるパーソナル通信システム（  Ｐｅｒｓｏｎａｌ  Ｃｏｍｍｕｎｉｃａｔｉｏｎｓ  Ｓｙｓｔｅｍ：ＰＣＳ）端末、無線電話、ページング装置、インターネット／イントラネットアクセス、Ｗｅｂブラウザ、メモ帳、カレンダ及び／又は全地球測位システム（Ｇｌｏｂａｌ  Ｐｏｓｉｔｉｏｎｉｎｇ  Ｓｙｓｔｅｍ：ＧＰＳ）受信機を含むＰＤＡ、及び従来のラップトップ及び／又はパームトップ受信機又は無線電話送受信機を含む他の電子機器を含むが、これらに限定されない。端末は、アクセス端末、ユーザ装置（Ｕｓｅｒ  Ｅｑｕｉｐｍｅｎｔ：ＵＥ）、ユーザユニット、ユーザ局、移動ステーション、移動局、遠隔局、遠隔端末装置、移動装置、ユーザ端末装置、端末装置、無線通信装置、ユーザ用エージェント又はユーザ装置であってもよい。アクセス端末装置は、セルラー電話、コードレス電話、セッション開始プロトコル（Ｓｅｓｓｉｏｎ  Ｉｎｉｔｉａｔｉｏｎ  Ｐｒｏ
ｔｏｃｏｌ：ＳＩＰ）電話、ワイヤレスローカルループ（Ｗｉｒｅｌｅｓｓ  Ｌｏｃａｌ  Ｌｏｏｐ：ＷＬＬ）局、パーソナルデジタルアシスタント（Ｐｅｒｓｏｎａｌ  Ｄｉｇｉｔａｌ  Ａｓｓｉｓｔａｎｔ：ＰＤＡ）、無線通信機能を有するハンドヘルド装置、計算装置又は無線モデムに接続される他の処理装置、車載装置、ウェアラブル装置、５Ｇネットワークにおける端末装置又は将来の進化型ＰＬＭＮにおける端末装置等であってもよい。
【００２５】
任意選択的に、端末装置１２０同士は、端末装置間（Ｄｅｖｉｃｅ  ｔｏ  Ｄｅｖｉｃｅ：Ｄ２Ｄ）での通信を行うことができる。
【００２６】
任意選択的に、５Ｇシステム又は５Ｇネットワークは、新しい無線（Ｎｅｗ  Ｒａｄｉｏ：ＮＲ）システム又はＮＲネットワークと呼ばれてもよい。
【００２７】
図１は、１つのネットワーク装置及び２つの端末装置を例示的に示す。任意選択的に、該通信システム１００は、複数のネットワーク装置を備えてもよく、また各ネットワーク装置のカバレッジに、他の数の端末装置が含まれてもよく、本発明の実施例はこれを限定するものではない。
【００２８】
任意選択的に、該通信システム１００は、ネットワークコントローラ、移動管理エンティティ等の他のネットワークエンティティを備えてもよく、本発明は、これを限定するものではない。
【００２９】
本願の実施例のネットワーク／システムにおける通信機能を有する装置は、通信装置と呼ばれてもよいことが理解されるべきである。図１に示す通信システム１００を例として、通信装置は、通信機能を有するネットワーク装置１１０及び端末装置１２０を備えてもよく、ネットワーク装置１１０及び端末装置１２０は、上述した具体的な装置であってもよく、ここで詳細な説明を省略する。通信装置は、ネットワークコントローラ、移動管理エンティティ等の他のネットワークエンティティのような、通信システム１００における他の装置を備えてもよく、本願の実施例はこれを限定するものではない。
【００３０】
本明細書における「システム」及び「ネットワーク」という用語は、本明細書において互換的に用いられてよいことが理解されるべきである。本明細書において、用語「及び／又は」は、関連対象の関連関係を説明するためのものであり、３通りの関係が存在することを表す。例えば、Ａ及び／又はＢは、Ａのみが存在すること、ＡとＢが同時に存在すること、Ｂのみが存在するという３つの場合を表す。また、本明細書において、文字「／」は、一般的に、前後の関連対象が、「又は」の関係であることを表す。
【００３１】
図２は、本願の実施例によるチャネルモニタリング方法を示す第１フローチャートである。図２に示すように、前記チャネルモニタリング方法は、下記ステップを含む。
【００３２】
ステップ２０１において、端末装置がネットワーク装置からの第１サーチスペース構成情報及び第２サーチスペース構成情報を受信する。
【００３３】
本願の実施例において、前記端末装置は、携帯電話、タブレット、車載端末装置などのような、ネットワーク装置と通信できる如何なる装置であってもよい。
【００３４】
本願の実施例において、前記ネットワーク装置は、例えば、５ＧにおけるｇＮＢ、ＬＴＥにおけるｅＮＢ等のような基地局である。
【００３５】
本願の実施例において、サーチスペースは、ＰＤＣＣＨ  ｓｅａｒｃｈ  ｓｐａｃｅと表記されてもよく、ＰＤＣＣＨ  ｓｅａｒｃｈ  ｓｐａｃｅは、サーチスペースと理解されてもよい。
【００３６】
本願の実施例において、前記第１サーチスペース構成情報は、１つ又は複数のサーチスペースの構成情報を含む。前記第２サーチスペース構成情報は、１つ又は複数のサーチスペースの構成情報を含む。ここで、１つのサーチスペースの構成情報は、下記情報を含む。
【００３７】
ｓｅａｒｃｈ  ＩＤ：サーチスペースの識別子を示す。
【００３８】
ｃｏｎｔｒｏｌＲｅｓｏｕｒｃｅＳｅｔＩｄ：サーチスペースに関連する制御リソースセット（ｃｏｎｔｒｏｌ  ｒｅｓｏｕｒｃｅ  ｓｅｔ）の構成情報のＩＤを示す。それは、ＰＤＣＣＨ  ｓｅａｒｃｈ  ｓｐａｃｅの時間周波数リソースを構成する。
【００３９】
モニタリングスロット（ｓｌｏｔ）の周期及び周期内のオフセット：現在、ＮＲによりサポートされる周期は、１、２、４、５、８、１０、１６、２０、４０、８０、１６０、３２０、６４０、１２８０、２５６０個のｓｌｏｔを含む。
【００４０】
ｄｕｒａｔｉｏｎ：ＰＤＣＣＨ  ｓｅａｒｃｈ  ｓｐａｃｅ周期内で連続的にモニタリングしたｓｌｏｔ数を示す。
【００４１】
ｍｏｎｉｔｏｒｉｎｇＳｙｍｂｏｌｓＷｉｔｈｉｎＳｌｏｔ：ＰＤＣＣＨモニタリングのｓｌｏｔ内のどれらのシンボルでＰＤＣＣＨモニタリングを行うかを示す。
【００４２】
ＰＤＣＣＨ  ｃａｎｄｉｄａｔｅｓ：ＰＤＣＣＨ  ｃａｎｄｉｄａｔｅの構成情報を示す。
【００４３】
ｓｅａｒｃｈ  ｓｐａｃｅのタイプ：ＰＤＣＣＨ  ｓｅａｒｃｈ  ｓｐａｃｅが共通サーチスペース（ｃｏｍｍｏｎ  ｓｅａｒｃｈ  ｓｐａｃｅ）であるか、それともＵＥ専用サーチスペース（ＵＥ−ｓｐｅｃｉｆｉｃ  ｓｐａｃｅ）であるかを示す。
【００４４】
ステップ２０２において、前記端末装置が第１タイマー及び／又は第１制御情報に基づいて、前記第１サーチスペース構成情報又は前記第２サーチスペース構成情報に基づく下り制御チャネルモニタリングを行うことを決定する。
【００４５】
本願の実施例において、前記第１タイマーの構成情報は、前記ネットワーク装置により構成されてもよく、規格により事前定義されてもよい。更に、前記第１タイマーの構成情報は、前記第１タイマーの第１時間長情報を含む。例えば、第１時間長情報の値は、時間長であってもよく、サブフレーム、又はスロット、ＰＤＣＣＨ  ｓｅａｒｃｈ  ｓｐａｃｅ周期の数であってもよい。なお、第１タイマーの計時は、時間の計数であってもよく、サブフレーム、又はスロット、ＰＤＣＣＨ  ｓｅａｒｃｈ  ｓｐａｃｅ周期の計数であってもよい。
【００４６】
一実施形態において、第１タイマーの構成情報は、前記ネットワーク装置により構成されたものである。なお、前記端末装置は、前記ネットワーク装置からの前記第１タイマーの構成情報を受信する必要もある。続いて、前記第１タイマーに基づいて、前記第１サーチスペース構成情報又は前記第２サーチスペース構成情報に基づく下り制御チャネルモニタリングを行うことを決定する。
【００４７】
本願の実施例において、第１タイマーと第１サーチスペース構成情報は、関連付けられている。この場合、前記端末装置は、前記第１タイマーを実行し、前記第１サーチスペース構成情報に対応するサーチスペースに基づいて下り制御チャネルモニタリングを行う。前記端末装置は、いずれかの下り制御チャネルモニタリング時刻で、前記端末装置に対する下り制御チャネルを検出した場合、前記第１タイマーを再起動する。前記端末装置は、前記端末装置に対する下り制御チャネルを検出しなかった場合、前記第１タイマーは、継続して計時する。前記第１タイマーがタイムアウトした場合、前記端末装置は、前記第２サーチスペース構成情報に対応するサーチスペースに切り替えて下り制御チャネルモニタリングを行う。第１タイマーの計時が下り制御チャネルモニタリング周期であることを例として、前記端末装置が、１つの下り制御チャネルモニタリング時刻で前記端末装置に対する下り制御チャネルを検出しなかった場合、前記第１タイマーの計数は、増加する。
【００４８】
例えば、端末装置は、第１サーチスペース構成情報に対応するＰＤＣＣＨ  ｓｅａｒｃｈ  ｓｐａｃｅに基づいて、ＰＤＣＣＨモニタリングを行う場合、端末装置は、前記端末装置に対するＰＤＣＣＨを検出した毎に、端末装置は、前記第１タイマーを再起動する。端末装置は、第１サーチスペース構成情報に対応するＰＤＣＣＨ  ｓｅａｒｃｈ  ｓｐａｃｅにおいて、前記端末装置に対するＰＤＣＣＨを検出しなかった場合、前記第１タイマーの計数は増加する。第１タイマーがタイムアウトした場合、端末装置は、第２サーチスペース構成情報に対応するＰＤＣＣＨ  ｓｅａｒｃｈ  ｓｐａｃｅに切り替えてＰＤＣＣＨモニタリングを行う。
【００４９】
本願の実施例は、上記技術的解決手段に限定されず、第１タイマーは、第２サーチスペース構成情報に関連付けられてもよい。この場合、第１サーチスペース構成情報と同様に、前記端末装置は、前記第１タイマーを実行し、前記第２サーチスペース構成情報に対応するサーチスペースに基づいて下り制御チャネルモニタリングを行う。前記端末装置は、前記端末装置に対する下り制御チャネルを検出した場合、前記第１タイマーを再起動する。前記端末装置は、前記端末装置に対する下り制御チャネルを検出しなかった場合、前記第１タイマーは、継続して計時する。前記第１タイマーがタイムアウトした場合、前記端末装置は、前記第１サーチスペース構成情報に対応するサーチスペースに切り替えて下り制御チャネルモニタリングを行う。
【００５０】
本願の実施例の上記技術的解決手段は、第１タイマーに基づいて、前記第１サーチスペース構成情報に基づいて下り制御モニタリングを行うか、或いは前記第２サーチスペース構成情報に基づく下り制御チャネルモニタリングを行うかを決定する。これに限定されず、本願の実施例は、第１制御情報に基づいて、前記第１サーチスペース構成情報に基づいて下り制御モニタリングを行うか、或いは前記第２サーチスペース構成情報に基づく下り制御チャネルモニタリングを行うかを決定することもできる。この場合、前記端末装置は、前記ネットワーク装置からの第１制御情報を受信し、前記第１制御情報に基づいて、前記第１サーチスペース構成情報又は前記第２サーチスペース構成情報に基づく下り制御チャネルモニタリングを行うことを決定する。ここで、前記第１制御情報は、下り制御情報（ＤＣＩ：Ｄｏｗｎｌｉｎｋ  Ｃｏｎｔｒｏｌ  Ｉｎｆｏｒｍａｔｉｏｎ）又はメディアアクセス制御制御要素（ＭＡＣ  ＣＥ：Ｍｅｄｉａ  Ａｃｃｅｓｓ  Ｃｏｎｔｒｏｌ  Ｃｏｎｔｒｏｌ  Ｅｌｅｍｅｎｔ）である。
【００５１】
一実施形態において、前記端末装置は、前記第１制御情報を受信した後、前記第１制御情報により示されるターゲットサーチスペース構成情報に対応するサーチスペースで、すぐに下り制御チャネルモニタリングを行う。ここで、前記第１制御情報により示されるターゲットサーチスペース構成情報は、前記第１サーチスペース構成情報又は前記第２サーチスペース構成情報である。
【００５２】
もう１つの実施形態において、前記端末装置は、前記第１制御情報を受信した場合、第２時間長を経過した後、前記第１制御情報により示されるターゲットサーチスペース構成情報に対応するサーチスペースで下り制御チャネルモニタリングを行う。ここで、前記第１制御情報により示されるターゲットサーチスペース構成情報は、前記第１サーチスペース構成情報又は前記第２サーチスペース構成情報である。ここで、前記第２時間長は、前記ネットワーク装置により構成されたものである。又は、前記第２時間長は、事前定義されたものである。
【００５３】
本願の実施例の技術的解決手段において、第１タイマーに基づいて、前記第１サーチスペース構成情報に基づいて下り制御モニタリングを行うか、或いは前記第２サーチスペース構成情報に基づく下り制御チャネルモニタリングを行うかを決定することができる。また、第１制御情報に基づいて、前記第１サーチスペース構成情報に基づいて下り制御モニタリングを行うか、或いは前記第２サーチスペース構成情報に基づく下り制御チャネルモニタリングを行うかを決定することもできる。更に、第１タイマー及び第１制御情報に基づいて、前記第１サーチスペース構成情報に基づいて下り制御モニタリングを行うか、或いは前記第２サーチスペース構成情報に基づく下り制御チャネルモニタリングを行うかを決定することもできる。これにより、端末装置は、トラフィックスケジューリングに基づいて、モニタリングされるべきＰＤＣＣＨ  ｓｅａｒｃｈ  ｓｐａｃｅを選択する。従って、トラフィックが低いか又は存在しない場合、端末装置は、周期が長いＰＤＣＣＨ  ｓｅａｒｃｈ  ｓｐａｃｅを選択して、ＰＤＣＣＨモニタリングの電力消費の節約を実現させる。
【００５４】
図３は、本願の実施例によるチャネルモニタリング方法を示す第２フローチャートである。図３に示すように、前記チャネルモニタリング方法は、下記ステップを含む。
【００５５】
ステップ３０１において、ネットワーク装置が端末装置に第１サーチスペース構成情報及び第２サーチスペース構成情報を送信し、前記第１サーチスペース構成情報及び前記第２サーチスペース構成情報は、前記端末装置が第１タイマー及び／又は第１制御情報に基づいて、前記第１サーチスペース構成情報又は前記第２サーチスペース構成情報に基づく下り制御チャネルモニタリングの行いを決定するためのものである。
【００５６】
本願の実施例において、前記ネットワーク装置は、例えば、５ＧにおけるｇＮＢ、ＬＴＥにおけるｅＮＢ等のような基地局である。
【００５７】
本願の実施例において、前記端末装置は、携帯電話、タブレット、車載端末装置などのような、ネットワーク装置と通信できる如何なる装置であってもよい。
【００５８】
本願の実施例において、サーチスペースは、ＰＤＣＣＨ  ｓｅａｒｃｈ  ｓｐａｃｅと表記されてもよく、ＰＤＣＣＨ  ｓｅａｒｃｈ  ｓｐａｃｅは、サーチスペースと理解されてもよい。
【００５９】
本願の実施例において、前記第１サーチスペース構成情報は、１つ又は複数のサーチスペースの構成情報を含む。前記第２サーチスペース構成情報は、１つ又は複数のサーチスペースの構成情報を含む。ここで、１つのサーチスペースの構成情報に含まれる情報は、端末装置に関する説明を参照しながら、理解することができる。
【００６０】
本願の実施例において、前記第１タイマーの構成情報は、前記ネットワーク装置により構成されてもよく、規格により事前定義されてもよい。更に、前記第１タイマーの構成情報は、前記第１タイマーの第１時間長情報を含む。例えば、第１時間長情報の値は、時間長であってもよく、サブフレーム、又はスロット、ＰＤＣＣＨ  ｓｅａｒｃｈ  ｓｐａｃｅ周期の数であってもよい。なお、第１タイマーの計時は、時間の計数であってもよく、サブフレーム、又はスロット、ＰＤＣＣＨ  ｓｅａｒｃｈ  ｓｐａｃｅ周期の計数であってもよい。
【００６１】
一実施形態において、第１タイマーの構成情報は、前記ネットワーク装置により構成されたものである。なお、前記ネットワーク装置は、前記端末装置に前記第１タイマーの構成情報を送信する必要がある。続いて、前記端末装置は、前記第１タイマーに基づいて、前記第１サーチスペース構成情報又は前記第２サーチスペース構成情報に基づく下り制御チャネルモニタリングを行うことを決定する。
【００６２】
本願の実施例において、第１タイマーと第１サーチスペース構成情報は、関連付けられている。この場合、前記端末装置は、前記第１タイマーを実行し、前記第１サーチスペース構成情報に対応するサーチスペースに基づいて下り制御チャネルモニタリングを行う。前記端末装置は、いずれかの下り制御チャネルモニタリング時刻で、前記端末装置に対する下り制御チャネルを検出した場合、前記第１タイマーを再起動する。前記端末装置は、前記端末装置に対する下り制御チャネルを検出しなかった場合、前記第１タイマーは、継続して計時する。前記第１タイマーがタイムアウトした場合、前記端末装置は、前記第２サーチスペース構成情報に対応するサーチスペースに切り替えて下り制御チャネルモニタリングを行う。第１タイマーの計時が下り制御チャネルモニタリング周期であることを例として、前記端末装置が、１つの下り制御チャネルモニタリング時刻で前記端末装置に対する下り制御チャネルを検出しなかった場合、前記第１タイマーの計数は、増加する。
【００６３】
本願の実施例は、上記技術的解決手段に限定されず、第１タイマーは、第２サーチスペース構成情報に関連付けられてもよい。この場合、第１サーチスペース構成情報と同様に、前記端末装置は、前記第１タイマーを実行し、前記第２サーチスペース構成情報に対応するサーチスペースに基づいて下り制御チャネルモニタリングを行う。前記端末装置は、前記端末装置に対する下り制御チャネルを検出した場合、前記第１タイマーを再起動する。前記端末装置は、前記端末装置に対する下り制御チャネルを検出しなかった場合、前記第１タイマーは、継続して計時する。前記第１タイマーがタイムアウトした場合、前記端末装置は、前記第１サーチスペース構成情報に対応するサーチスペースに切り替えて下り制御チャネルモニタリングを行う。
【００６４】
本願の実施例の上記技術的解決手段は、第１タイマーに基づいて、前記第１サーチスペース構成情報に基づいて下り制御モニタリングを行うか、或いは前記第２サーチスペース構成情報に基づく下り制御チャネルモニタリングを行うかを決定する。これに限定されず、本願の実施例は、第１制御情報に基づいて、前記第１サーチスペース構成情報に基づいて下り制御モニタリングを行うか、或いは前記第２サーチスペース構成情報に基づく下り制御チャネルモニタリングを行うかを決定することもできる。この場合、前記ネットワーク装置は、前記端末装置に第１制御情報を送信する。前記第１制御情報は、前記端末装置が前記第１サーチスペース構成情報又は前記第２サーチスペース構成情報に基づく下り制御チャネルモニタリングを行うことを決定するためのものである。ここで、前記第１制御情報は、ＤＣＩ又はＭＡＣ  ＣＥである。
【００６５】
一実施形態において、前記端末装置は、前記第１制御情報を受信した後、すぐに、前記第１制御情報により示されるターゲットサーチスペース構成情報に対応するサーチスペースで、下り制御チャネルモニタリングを行う。ここで、前記第１制御情報により示されるターゲットサーチスペース構成情報は、前記第１サーチスペース構成情報又は前記第２サーチスペース構成情報である。
【００６６】
もう１つの実施形態において、前記端末装置は、前記第１制御情報を受信した場合、第２時間長を経過した後、前記第１制御情報により示されるターゲットサーチスペース構成情報に対応するサーチスペースで下り制御チャネルモニタリングを行う。ここで、前記第１制御情報により示されるターゲットサーチスペース構成情報は、前記第１サーチスペース構成情報又は前記第２サーチスペース構成情報である。ここで、前記第２時間長は、前記ネットワーク装置により構成されたものである。又は、前記第２時間長は、事前定義されたものである。
【００６７】
本願の実施例の技術的解決手段において、第１タイマーに基づいて、前記第１サーチスペース構成情報に基づいて下り制御モニタリングを行うか、或いは前記第２サーチスペース構成情報に基づく下り制御チャネルモニタリングを行うかを決定することができる。また、第１制御情報に基づいて、前記第１サーチスペース構成情報に基づいて下り制御モニタリングを行うか、或いは前記第２サーチスペース構成情報に基づく下り制御チャネルモニタリングを行うかを決定することもできる。更に、第１タイマー及び第１制御情報に基づいて、前記第１サーチスペース構成情報に基づいて下り制御モニタリングを行うか、或いは前記第２サーチスペース構成情報に基づく下り制御チャネルモニタリングを行うかを決定することもできる。これにより、端末装置は、トラフィックスケジューリングに基づいて、モニタリングされるべきＰＤＣＣＨ  ｓｅａｒｃｈ  ｓｐａｃｅを選択する。従って、トラフィックが低いか又は存在しない場合、端末装置は、周期が長いＰＤＣＣＨ  ｓｅａｒｃｈ  ｓｐａｃｅを選択して、ＰＤＣＣＨモニタリングの電力消費の節約を実現させる。
【００６８】
以下、具体的な適用例を参照しながら、本願の実施例の技術的解決手段を例示して説明する。下記実施例において、第１サーチスペース構成情報は、第１ＰＤＣＣＨ  ｓｅａｒｃｈ  ｓｐａｃｅの構成と表記され、第２サーチスペース構成情報は、第２ＰＤＣＣＨ  ｓｅａｒｃｈ  ｓｐａｃｅの構成と表記され、第１タイマーは、第１ｔｉｍｅｒと表記される。
【００６９】
適用例１：第１ｔｉｍｅｒに基づいたＰＤＣＣＨ  ｓｅａｒｃｈ  ｓｐａｃｅモニタリング
ネットワーク装置は、第１ＰＤＣＣＨ  ｓｅａｒｃｈ  ｓｐａｃｅの構成及び第２ＰＤＣＣＨ  ｓｅａｒｃｈ  ｓｐａｃｅの構成という２つのＰＤＣＣＨ  ｓｅａｒｃｈ  ｓｐａｃｅ構成を端末装置に送信する。ここで、第１ＰＤＣＣＨ  ｓｅａｒｃｈ  ｓｐａｃｅ構成は、短いＰＤＣＣＨ  ｓｅａｒｃｈ  ｓｐａｃｅ周期を有し、端末装置のトラフィックが密に到達した場合に適用される。第２ＰＤＣＣＨ  ｓｅａｒｃｈ  ｓｐａｃｅ構成は、長いＰＤＣＣＨ  ｓｅａｒｃｈ  ｓｐａｃｅ周期を有し、端末装置のトラフィックが疎に到着した場合に適用される。端末装置のトラフィックが少ないか又は短期間内でトラフィックが存在しない場合、第２ＰＤＣＣＨ  ｓｅａｒｃｈ  ｓｐａｃｅ構成を用いることで、端末装置は、長い時間間隔でＰＤＣＣＨをモニタリングすることができる。２つ隣接するＰＤＣＣＨ  ｓｅａｒｃｈ  ｓｐａｃｅ間の期間内で、端末装置は、暫く休眠状態に入って、端末装置の省エネルギーの実現に更に寄与する。第１ＰＤＣＣＨ  ｓｅａｒｃｈ  ｓｐａｃｅ構成又は第２ＰＤＣＣＨ  ｓｅａｒｃｈ  ｓｐａｃｅ構成は、それぞれ、１つ又は複数のＰＤＣＣＨ  ｓｅａｒｃｈ  ｓｐａｃｅ構成情報を含んでもよい。両者に含まれるＰＤＣＣＨ  ｓｅａｒｃｈ  ｓｐａｃｅ構成情報の数は、同じであっても異なってもよい。例えば、第１ＰＤＣＣＨ  ｓｅａｒｃｈ  ｓｐａｃｅ構成は、ＰＤＣＣＨ  ｓｅａｒｃｈ  ｓｐａｃｅ  １、ＰＤＣＣＨ  ｓｅａｒｃｈ  ｓｐａｃｅ  ２、ＰＤＣＣＨ  ｓｅａｒｃｈ  ｓｐａｃｅ  ３の構成情報を含み、第２ＰＤＣＣＨ  ｓｅａｒｃｈ  ｓｐａｃｅ構成は、ＰＤＣＣＨ  ｓｅａｒｃｈ  ｓｐａｃｅ  ４の構成情報のみを含む。
【００７０】
ネットワーク装置は、端末装置に第１ｔｉｍｅｒの構成情報を送信することができる。それに第１ｔｉｍｅｒの時間長情報が含まれる。端末装置は、前記第１ｔｉｍｅｒに基づいて、第１ＰＤＣＣＨ  ｓｅａｒｃｈ  ｓｐａｃｅ構成又は第２ＰＤＣＣＨ  ｓｅａｒｃｈ  ｓｐａｃｅ構成に基づいてＰＤＣＣＨモニタリングを行うと決定する。具体的には、前記端末装置は、第１ＰＤＣＣＨ  ｓｅａｒｃｈ  ｓｐａｃｅ構成に対応するＰＤＣＣＨ  ｓｅａｒｃｈ  ｓｐａｃｅに基づいてＰＤＣＣＨモニタリングを行う場合、端末装置は、前記端末装置に対するＰＤＣＣＨを検出したたびに、前記第１ｔｉｍｅｒを再起動する。端末装置は、対応するＰＤＣＣＨ  ｓｅａｒｃｈ  ｓｐａｃｅで、前記端末装置に対するＰＤＣＣＨを検出しなかった場合、前記第１ｔｉｍｅｒの計数は、増加する。前記第１ｔｉｍｅｒがタイムアウトした場合、端末装置は、第２ＰＤＣＣＨ  ｓｅａｒｃｈ  ｓｐａｃｅ構成に対応するＰＤＣＣＨ  ｓｅａｒｃｈ  ｓｐａｃｅに切り替えてＰＤＣＣＨモニタリングを行う。
【００７１】
ここで、第１ｔｉｍｅｒの計数は、時間の計数であってもよく、サブフレーム、又はスロット、ＰＤＣＣＨ  ｓｅａｒｃｈ  ｓｐａｃｅ周期の計数であってもよい。なお、第１ｔｉｍｅｒの値は、時間長であってもよく、サブフレーム、スロット又はＰＤＣＣＨ  ｓｅａｒｃｈ  ｓｐａｃｅ周期の数であってもよい。前記第１ｔｉｍｅｒの構成情報は、事前構成されてもよい。この場合、ネットワーク装置は、端末装置に第１ｔｉｍｅｒの構成情報を送信する必要がない。
【００７２】
前記端末装置に対するＰＤＣＣＨは、前記端末装置のセル無線ネットワーク一時的識別子（Ｃ−ＲＮＴＩ：Ｃｅｌｌ  Ｒａｄｉｏ  Ｎｅｔｗｏｒｋ  Ｔｅｍｐｏｒａｒｙ  Ｉｄｅｎｔｉｆｉｅ）によりスクランブルされたＰＤＣＣＨであることに留意されたい。
【００７３】
図４に示すように、端末装置は、第１ＰＤＣＣＨ  ｓｅａｒｃｈ  ｓｐａｃｅ構成に対応するＰＤＣＣＨ  ｓｅａｒｃｈ  ｓｐａｃｅに基づいてＰＤＣＣＨモニタリングを行う。1つ目のＰＤＣＣＨモニタリング時刻でＰＤＣＣＨを検出した。この場合、第１ｔｉｍｅｒを再起動する。２つ目のＰＤＣＣＨモニタリング時刻でＰＤＣＣＨが検出されていない。この場合、第１ｔｉｍｅｒの計数は、初期値に１を加算した値である。３つ目のＰＤＣＣＨモニタリング時刻でＰＤＣＣＨが検出された。この場合、第１ｔｉｍｅｒを再起動する。４つ目のＰＤＣＣＨでＰＤＣＣＨが検出されていない。この場合、第１ｔｉｍｅｒの計数は、初期値に１を加算した値である。５つ目のＰＤＣＣＨモニタリング時刻でＰＤＣＣＨが検出されていない。この場合、第１ｔｉｍｅｒの計数は、初期値に２を加算した値である。このように類推すると、ｎ番目のＰＤＣＣＨモニタリング時刻でＰＤＣＣＨが依然として検出されていない。この場合、第１ｔｉｍｅｒの計数は、初期値にｎを加算した値である。第１ｔｉｍｅｒの計数がタイムアウトした場合、端末装置は、第２ＰＤＣＣＨ  ｓｅａｒｃｈ  ｓｐａｃｅ構成に対応するＰＤＣＣＨ  ｓｅａｒｃｈ  ｓｐａｃｅに切り替えてＰＤＣＣＨモニタリングを行う。
【００７４】
適用例２：第１ｔｉｍｅｒ及び第１制御情報に基づいてＰＤＣＣＨ  ｓｅａｒｃｈ  ｓｐａｃｅモニタリング
端末装置を種々のＰＤＣＣＨ  ｓｅａｒｃｈ  ｓｐａｃｅで柔軟に切り替えるために、前記適用例１に、ＤＣＩ又はＭＡＣ  ＣＥ制御のＰＤＣＣＨ  ｓｅａｒｃｈ  ｓｐａｃｅ構成の切り替えメカニズムを更に結合させることができる。
【００７５】
具体的には、ネットワークは、端末装置のＰＤＣＣＨ  ｓｅａｒｃｈ  ｓｐａｃｅ構成への切り替えを望む場合、端末装置にＤＣＩ又はＭＡＣ  ＣＥシグナリングを送信する。前記シグナリングにより、切り替えのターゲットＰＤＣＣＨ  ｓｅａｒｃｈ  ｓｐａｃｅ構成を示す。端末装置は、上記シグナリングを受信した後、すぐに切り替えを実行することができ、又は、発効期間に基づいて、発効期間を経過した後、切り替えを実行する。前記発効期間は、事前定義されたものであるか又はＲＲＣシグナリングにより端末装置に通知されたものである。
【００７６】
上記技術的解決手段を実行する前に、ネットワークは、端末のために、種々のＰＤＣＣＨ  ｓｅａｒｃｈ  ｓｐａｃｅ構成を構成しており、それぞれ番号付ける。ＤＣＩ又はＭＡＣ  ＣＥにより切り替えのターゲットＰＤＣＣＨ  ｓｅａｒｃｈ  ｓｐａｃｅ構成を示すと、ターゲットＰＤＣＣＨ  ｓｅａｒｃｈ  ｓｐａｃｅ構成の番号を示すことができる。
【００７７】
適用例３：第１制御情報に基づいたＰＤＣＣＨ  ｓｅａｒｃｈ  ｓｐａｃｅモニタリング
図５を参照すると、端末装置は、第１ＰＤＣＣＨ  ｓｅａｒｃｈ  ｓｐａｃｅ構成に対応するＰＤＣＣＨ  ｓｅａｒｃｈ  ｓｐａｃｅに基づいてＰＤＣＣＨモニタリングを行う。１つ目のＰＤＣＣＨモニタリング時刻でＰＤＣＣＨが検出された。２つ目のＰＤＣＣＨモニタリング時刻でＰＤＣＣＨが検出されていない。３つ目のＰＤＣＣＨモニタリング時刻でＰＤＣＣＨが検出された。４つ目のＰＤＣＣＨモニタリング時刻でＰＤＣＣＨが検出されていない。５つ目のＰＤＣＣＨモニタリング時刻でＰＤＣＣＨが検出されていない。このように類推することで、各ＰＤＣＣＨモニタリング時刻でＰＤＣＣＨモニタリングを行い、ｎ番目のＰＤＣＣＨモニタリング時刻で第１制御情報を受信するまで継続する。端末装置は、第１制御情報の指示に基づいて、第２ＰＤＣＣＨ  ｓｅａｒｃｈ  ｓｐａｃｅ構成に対応するＰＤＣＣＨ  ｓｅａｒｃｈ  ｓｐａｃｅに切り替えてＰＤＣＣＨモニタリングを行う。
【００７８】
図６は、本願の実施例によるチャネルモニタリング装置の構造を示す第１概略図である。図６に示すように、前記チャネルモニタリング装置は、
ネットワーク装置からの第１サーチスペース構成情報及び第２サーチスペース構成情報を受信するように構成される第１受信ユニット６０１と、
第１タイマー及び／又は第１制御情報に基づいて、前記第１サーチスペース構成情報又は前記第２サーチスペース構成情報に基づく下り制御チャネルモニタリングを行うことを決定するように構成されるモニタリングユニット６０２と、を備える。
【００７９】
一実施形態において、前記第１タイマーの構成情報は、前記ネットワーク装置により構成されたものであり、又は、
前記第１タイマーの構成情報は、事前定義されたものである。
【００８０】
一実施形態において、前記第１タイマーの構成情報は、前記第１タイマーの第１時間長情報を含む。
【００８１】
一実施形態において、前記モニタリングユニット６０２は、前記第１タイマーを実行し、前記第１サーチスペース構成情報に対応するサーチスペースに基づいて、下り制御チャネルモニタリングを行い、前記端末装置に対する下り制御チャネルが検出された場合、前記第１タイマーを再起動し、いずれかの下り制御チャネルモニタリング時刻で前記端末装置に対する下り制御チャネルが検出されていない場合、前記第１タイマーが継続して計時し、前記第１タイマーがタイムアウトした場合、前記第２サーチスペース構成情報に対応するサーチスペースに切り替えて下り制御チャネルモニタリングを行うように構成される。１つの下り制御チャネルモニタリング時刻で前記端末装置に対する下り制御チャネルが検出されていない場合、前記第１タイマーの計数は、増加する。
【００８２】
一実施形態において、前記装置は、
前記ネットワーク装置からの第１制御情報を受信するように構成される第２受信ユニット６０３であって、前記第１制御情報は、ＤＣＩ又はＭＡＣ  ＣＥである、第２受信ユニット６０３を更に備える。
【００８３】
一実施形態において、前記モニタリングユニット６０２は、前記第２受信ユニットが前記第１制御情報を受信した直後に、前記第１制御情報により示されるターゲットサーチスペース構成情報に対応するサーチスペースで下り制御チャネルモニタリングを行うように構成され、前記第１制御情報により示されるターゲットサーチスペース構成情報は、前記第１サーチスペース構成情報又は前記第２サーチスペース構成情報である。
【００８４】
一実施形態において、前記モニタリングユニット６０２は、前記第２受信ユニットが前記第１制御情報を受信した場合、第２時間長を経過した後、前記第１制御情報により示されるターゲットサーチスペース構成情報に対応するサーチスペースで下り制御チャネルモニタリングを行うように構成され、前記第１制御情報により示されるターゲットサーチスペース構成情報は、前記第１サーチスペース構成情報又は前記第２サーチスペース構成情報である。
【００８５】
一実施形態において、前記第２時間長は、前記ネットワーク装置により構成されたものであり、又は、
前記第２時間長は、事前定義されたものである。
【００８６】
一実施形態において、前記第１サーチスペース構成情報又は前記第２サーチスペース構成情報は、１つ又は複数のサーチスペースの構成情報を含む。
【００８７】
本願の実施例の上記チャネルモニタリング装置に関連する説明を、本願の実施例のチャネルモニタリング方法に関連する説明を参照しながら理解できることは、当業者であれば、理解すべきである。
【００８８】
図７は、本願の実施例によるチャネルモニタリング装置の構造を示す第２概略図である。図７に示すように、前記チャネルモニタリング装置は、
端末装置に第１サーチスペース構成情報及び第２サーチスペース構成情報を送信するように構成される第１送信ユニット７０１であって、前記第１サーチスペース構成情報及び前記第２サーチスペース構成情報は、前記端末装置が第１タイマー及び／又は第１制御情報に基づいて、前記第１サーチスペース構成情報又は前記第２サーチスペース構成情報に基づく下り制御チャネルモニタリングの行いを決定するためのものである、第１送信ユニット７０１を備える。
【００８９】
一実施形態において、前記第１タイマーの構成情報は、前記ネットワーク装置により構成されたものであり、又は、
前記第１タイマーの構成情報は、事前定義されたものである。
【００９０】
一実施形態において、前記第１タイマーの構成情報は、前記第１タイマーの第１時間長情報を含む。
【００９１】
一実施形態において、前記装置は、
前記端末装置に前記第１制御情報を送信するように構成される第２送信ユニット７０２であって、前記第１制御情報は、ＤＣＩ又はＭＡＣ  ＣＥである、第２送信ユニット７０２を更に備える。
【００９２】
一実施形態において、前記第１サーチスペース構成情報又は前記第２サーチスペース構成情報は、１つ又は複数のサーチスペースの構成情報を含む。
【００９３】
本願の実施例の上記チャネルモニタリング装置に関連する説明を、本願の実施例のチャネルモニタリング方法に関連する説明を参照しながら理解できることは、当業者であれば、理解すべきである。
【００９４】
図８は、本願の実施例による通信装置６００の構造を示す概略図である。該通信装置は、端末装置であってもよく、ネットワーク装置であってもよい。図８に示す通信装置６００は、プロセッサ６１０を備え、プロセッサ６１０は、メモリからコンピュータプログラムを呼び出して実行し、本願の実施例における方法を実現させる。
【００９５】
任意選択的に、図８に示すように、通信装置６００は、メモリ６２０を更に備えてもよい。ここで、プロセッサ６１０は、メモリ６２０からコンピュータプログラムを呼び出して実行し、本願の実施例における方法を実現させる。
【００９６】
ここで、メモリ６２０は、プロセッサ６１０から独立した個別のデバイスであってもよく、プロセッサ６１０に集積されてもよい。
【００９７】
任意選択的に、図８に示すように、通信装置６００は、送受信機６３０を更に備えてもよい。プロセッサ６１０は、該送受信機６３０を、他の装置と通信するように制御することができる。具体的には、他の装置に情報又はデータを送信できるか又は他の装置からの情報又はデータを受信できる。
【００９８】
ここで、送受信機６３０は、送信機及び受信機を備えてもよい。送受信機６３０は、アンテナを更に備えてもよい。アンテナの数は、１つ又は複数であってもよい。
【００９９】
任意選択的に、該通信装置６００は具体的には、本願の実施例のネットワーク装置であってもよい。また、該通信装置６００は、本願の実施例の各方法におけるネットワーク装置により実現されるプロセスを実現させることができる。簡潔化のために、ここで詳細な説明を省略する。
【０１００】
任意選択的に、該通信装置６００は具体的には、本願の実施例の携帯端末装置／端末装置であってもよい。また、該通信装置６００は、本願の実施例の各方法における携帯端末装置／端末装置により実現されるプロセスを実現させることができる。簡潔化のために、ここで詳細な説明を省略する。
【０１０１】
図９は、本願の実施例によるチップの構造を示す概略図である。図７に示すチップ７００は、プロセッサ７１０を備える。プロセッサ７１０は、メモリからコンピュータプログラムを呼び出して実行し、本願の実施例における方法を実現させる。
【０１０２】
任意選択的に、図９に示すように、チップ７００は、メモリ７２０を更に備えてもよい。ここで、プロセッサ７１０は、メモリ７２０からコンピュータプログラムを呼び出して実行し、本願の実施例における方法を実現させる。
【０１０３】
ここで、メモリ７２０は、プロセッサ７１０から独立した個別のデバイスであってもよく、プロセッサ７１０に集積されてもよい。
【０１０４】
任意選択的に、該チップ７００は、入力インタフェース７３０を更に備えてもよい。ここで、プロセッサ７１０は、該入力インタフェース７３０を、他の装置又はチップと通信するように制御することができる。具体的には、他の装置又はチップからの情報又はデータを取得することができる。
【０１０５】
任意選択的に、該チップ７００は、出力インタフェース７４０を更に備えてもよい。ここで、プロセッサ７１０は、該出力インタフェース７４０を、他の装置又はチップと通信するように制御することができる。具体的には、他の装置又はチップに情報又はデータを出力することができる。
【０１０６】
任意選択的に、該チップは、本願の実施例におけるネットワーク装置に適用可能である。また、該チップは、本願の実施例の各方法におけるネットワーク装置により実現されるプロセスを実現させることができる。簡潔化のために、ここで詳細な説明を省略する。
【０１０７】
任意選択的に、該チップは、本願の実施例における携帯端末装置／端末装置に適用可能である。また、該チップは、本願の実施例の各方法における携帯端末装置／端末装置により実現されるプロセスを実現させることができる。簡潔化のために、ここで詳細な説明を省略する。
【０１０８】
本願の実施例で言及したチップは、システムオンチップ、システムチップ、チップシステム又はチップの上にあらゆるパーツを搭載したシステムと呼ばれてもよいことが理解されるべきである。
【０１０９】
図１０は、本願の実施例による通信システム９００を示すブロック図である。図１０に示すように、該通信システム９００は、端末装置９１０とネットワーク装置９２０とを備える。
【０１１０】
ここで、該端末装置９１０は、上記方法における端末装置により実現される機能を実現させるために用いられる。該ネットワーク装置９２０は、上記方法におけるネットワーク装置により実現される機能を実現させるために用いられる。簡潔化のために、ここで詳細な説明を省略する。
【０１１１】
本願の実施例におけるプロセッサは、信号処理能力を持つ集積回路チップであってもよいことが理解されるべきである。実現プロセスにおいて、上記方法の実施例における各ステップは、プロセッサにおけるハードウェアの集積論理回路又はソフトウェアの形の命令により完成することができることが理解されるべきである。上記プロセッサは、汎用プロセッサ、デジタル信号プロセッサ（Ｄｉｇｉｔａｌ  Ｓｉｇｎａｌ  Ｐｒｏｃｅｓｓｏｒ：ＤＳＰ）、特定用途向け集積回路（Ａｐｐｌｉｃａｔｉｏｎ  Ｓｐｅｃｉｆｉｃ  Ｉｎｔｅｒｇｒａｔｅｄ  Ｃｉｒｃｕｉｔ：ＡＳＩＣ）、現場でプログラム可能なゲートアレイ（Ｆｉｅｌｄ  Ｐｒｏｇｒａｍｍａｂｌｅ  Ｇａｔｅ  Ａｒｒａｙ：ＦＰＧＡ）又は他のプログラマブルロジックデバイス、ディスクリートゲート又はトランジスタロジックデバイス、ディスクリートハードウェアコンポーネントであってもよい。本願の実施例に開示されている各方法、ステップ及び論理ブロック図を実現又は実行することができる。汎用プロセッサはマイクロプロセッサであってもよく、該プロセッサは如何なる従来のプロセッサ等であってもよい。本願の実施例に開示されている方法のステップを結合して、ハードウェア解読プロセッサによって完成し、又は解読プロセッサ内のハードウェアとソフトウェアモジュールとの組み合わせで実行して完成するように示す。ソフトウェアモジュールは、ランダムアクセスメモリ、フラッシュメモリ、読み取り専用メモリ、プログラマブル読み取り専用メモリ又は電気的消去プログラム可能なメモリ、レジスタ等の本分野の従来の記憶媒体内に存在してもよい。該記憶媒体はメモリ内に位置し、プロセッサはメモリ中の情報を読み取り、そのハードウェアと共に上記方法のプロセスを完了する。
【０１１２】
本願の実施例におけるメモリは、揮発性または不揮発性メモリであってもよく、揮発性メモリと不揮発性メモリの両者を備えてもよいことが理解されるべきである。ここで、不揮発性メモリは、読み出し専用メモリ（Ｒｅａｄ-ｏｎｌｙ Ｍｅｍｏｒｙ：ＲＯＭ）、プログラマブル読み出し専用メモリ（Ｐｒｏｇｒａｍｍａｂｌｅ  ＲＯＭ：ＰＲＯＭ）、消去可能なプログラマブル読み出し専用メモリ（Ｅｒａｓａｂｌｅ  ＰＲＯＭ：ＥＰＲＯＭ）、電気的消去可能なプログラマブル読み出し専用メモリ（Ｅｌｅｃｔｒｉｃａｌｌｙ  ＥＰＲＯＭ：ＥＥＰＲＯＭ）又はフラッシュメモリであってもよい。揮発性メモリは、外部キャッシュメモリとして機能するランダムアクセスメモリ（Ｒａｎｄｏｍ  Ａｃｃｅｓｓ  Ｍｅｍｏｒｙ：ＲＡＭ）であってもよい。非限定的な例証として、ＲＡＭは、スタティックランダムアクセスメモリ（Ｓｔａｔｉｃ  ＲＡＭ：ＳＲＡＭ）、ダイナミックランダムアクセスメモリ（Ｄｙｎａｍｉｃ  ＲＡＭ：ＤＲＡＭ）、同期ダイナミックランダムアクセスメモリ（Ｓｙｎｃｈｒｏｎｏｕｓ  ＤＲＡＭ：ＳＤＲＡＭ）、ダブルデータレート同期ダイナミックランダムアクセスメモリ（Ｄｏｕｂｌｅ  Ｄａｔａ  Ｒａｔｅ  ＳＤＲＡＭ：ＤＤＲ  ＳＤＲＡＭ）、エンハンスト同期ダイナミックランダムアクセスメモリ（Ｅｎｈａｎｃｅｄ  ＳＤＲＡＭ：ＥＳＤＲＡＭ）、同期リンクダイナミックランダムアクセスメモリ（Ｓｙｎｃｈｌｉｎｋ  ＤＲＡＭ：ＳＬＤＲＡＭ）及びダイレクトラムバスランダムアクセスメモリ（Ｄｉｒｅｃｔ  Ｒａｍｂｕｓ  ＲＡＭ：ＤＲ  ＲＡＭ）などの多数の形態で使用可能である。本明細書に記載されているシステム及び方法におけるメモリは、これら及び任意の他の適切な形態のメモリを含むが、これらに限定されないことに留意されたい。
【０１１３】
上記メモリは例示的なものであるが、限定的なものではないことが理解されるべきである。例えば、本願の実施例におけるメモリは、スタティックランダムアクセスメモリ（Ｓｔａｔｉｃ  ＲＡＭ：ＳＲＡＭ）、ダイナミックランダムアクセスメモリ（Ｄｙｎａｍｉｃ  ＲＡＭ：ＤＲＡＭ）、同期ダイナミックランダムアクセスメモリ（Ｓｙｎｃｈｒｏｎｏｕｓ  ＤＲＡＭ：ＳＤＲＡＭ）、ダブルデータレート同期ダイナミックランダムアクセスメモリ（Ｄｏｕｂｌｅ  Ｄａｔａ  Ｒａｔｅ  ＳＤＲＡＭ：ＤＤＲ  ＳＤＲＡＭ）、エンハンスト同期ダイナミックランダムアクセスメモリ（Ｅｎｈａｎｃｅｄ  ＳＤＲＡＭ：ＥＳＤＲＡＭ）、同期リンクダイナミックランダムアクセスメモリ（Ｓｙｎｃｈｌｉｎｋ  ＤＲＡＭ：ＳＬＤＲＡＭ）及びダイレクトラムバスランダムアクセスメモリ（Ｄｉｒｅｃｔ  Ｒａｍｂｕｓ  ＲＡＭ：ＤＲ  ＲＡＭ）などであってもよい。つまり、本願の実施例におけるメモリは、これら及び如何なる他の適切なタイプのメモリを含むが、これらに限定されない。
【０１１４】
本願の実施例は、コンピュータプログラムを記憶するためのコンピュータ可読記憶媒体を更に提供する。
【０１１５】
任意選択的に、該コンピュータ可読記憶媒体は、本願の実施におけるネットワーク装置に適用可能である。また、該コンピュータプログラムは、コンピュータに、本願の実施例の各方法におけるネットワーク装置により実現されるプロセスを実行させる。簡潔化のために、ここで詳細な説明を省略する。
【０１１６】
任意選択的に、該コンピュータ可読記憶媒体は、本願の実施における携帯端末装置／端末装置に適用可能である。また、該コンピュータプログラムは、コンピュータに、本願の実施例の各方法における携帯端末装置／端末装置により実現されるプロセスを実行させる。簡潔化のために、ここで詳細な説明を省略する。
【０１１７】
本願の実施例は、コンピュータプログラム命令を含むコンピュータプログラム製品を更に提供する。
【０１１８】
任意選択的に、該コンピュータプログラム製品は、本願の実施におけるネットワーク装置に適用可能である。また、該コンピュータプログラム命令は、コンピュータに、本願の実施例の各方法におけるネットワーク装置により実現されるプロセスを実行させる。簡潔化のために、ここで詳細な説明を省略する。
【０１１９】
任意選択的に、該コンピュータプログラム製品は、本願の実施における携帯端末装置／端末装置に適用可能である。また、該コンピュータプログラム命令は、コンピュータに、本願の実施例の各方法における携帯端末装置／端末装置により実現されるプロセスを実行させる。簡潔化のために、ここで詳細な説明を省略する。
【０１２０】
本願の実施例は、コンピュータプログラムを更に提供する。
【０１２１】
任意選択的に、該コンピュータプログラムは、本願の実施におけるネットワーク装置に適用可能である。また、該コンピュータプログラムがコンピュータで実行される時、コンピュータに、本願の実施例の各方法におけるネットワーク装置により実現されるプロセスを実行させる。簡潔化のために、ここで詳細な説明を省略する。
【０１２２】
任意選択的に、該コンピュータプログラムは、本願の実施における携帯端末装置／端末装置に適用可能である。また、該コンピュータプログラムがコンピュータで実行される時、コンピュータに、本願の実施例の各方法における携帯端末装置／端末装置により実現されるプロセスを実行させる。簡潔化のために、ここで詳細な説明を省略する。
【０１２３】
当業者であれば、本明細書に開示されている実施例に関係して記載された種々の例示的なユニット及びアルゴリズムステップは、電子ハードウェア、又はコンピュータソフトウェアと電子ハードウェアとの組み合わせとして実現されることが理解され得る。ハードウェアとソフトウェアとのどちらで、これらの機能を実行するかは、技術的解決手段の特定の応用及び設計上の制限条件により決められる。当業者は、特定の用途毎に記載の機能を実現するために異なる方法を使用してもよいが、この実現が本発明の範囲を超えるものとして考えられるべきではない。
【０１２４】
説明上の便宜及び簡素化を図るために、上記説明されたシステム、装置及びユニットの具体的な作動過程は、前記方法の実施例における対応した過程を参照することができるから、ここで詳しく説明しないようにすることは、当業者にはっきり理解されるべきである。
【０１２５】
本発明で提供する幾つかの実施例で開示したシステム、装置及び方法は、他の方式によって実現できることを理解すべきである。例えば、以上に記載した装置の実施例はただ例示的なもので、例えば、前記ユニットの分割はただロジック機能の分割で、実際に実現する時は他の分割方式によってもよい。例えば、複数のユニット又は組立体を組み合わせてもよく、別のシステムに組み込んでもよい。又は若干の特徴を無視してもよく、実行しなくてもよい。また、示したか或いは検討した相互間の結合又は直接的な結合又は通信接続は、幾つかのインタフェース、装置又はユニットによる間接的な結合又は通信接続であってもよく、電気的、機械的または他の形態であってもよい。
【０１２６】
分離部材として説明した該ユニットは、物理的に別個のものであってもよく、そうでなくてもよい。ユニットとして示された部材は、物理的ユニットであってもよく、そうでなくてもよい。即ち、同一の位置に位置してもよく、複数のネットワークに分布してもよい。実際の需要に応じてそのうちの一部又は全てのユニットにより本実施例の方策の目的を実現することができる。
【０１２７】
また、本発明の各実施例における各機能ユニットは一つの処理ユニットに集積されてもよく、各ユニットが物理的に別個のものとして存在してもよく、２つ以上のユニットが一つのユニットに集積されてもよい。
【０１２８】
前記機能はソフトウェア機能ユニットの形で実現され、かつ独立した製品として販売または使用されるとき、コンピュータにより読み取り可能な記憶媒体内に記憶されてもよい。このような理解のもと、本発明の技術的解決手段は、本質的に、又は、従来技術に対して貢献をもたらした部分又は該技術的解決手段の一部は、ソフトウェア製品の形式で具現することができ、このようなコンピュータソフトウェア製品は、記憶媒体に記憶しても良く、また、コンピュータ設備（パソコン、サーバ、又はネットワーク装置など）に、本発明の各実施例に記載の方法の全部又は一部のステップを実行させるための若干の命令を含む。前記の記憶媒体は、ＵＳＢメモリ、リムーバブルハードディスク、読み出し専用メモリ（Ｒｅａｄ−ｏｎｌｙ  Ｍｅｍｏｒｙ：ＲＯＭ）、ランダムアクセスメモリ（Ｒａｎｄｏｍ  Ａｃｃｅｓｓ  Ｍｅｍｏｒｙ：ＲＡＭ）、磁気ディスク、又は光ディスクなど、プログラムコードを記憶可能な各種の媒体を含む。
【０１２９】
以上は本願の具体的な実施形態に過ぎず、本願の保護の範囲はそれらに制限されるものではなく、当業者が本発明に開示された技術範囲内で容易に想到しうる変更や置換はいずれも、本発明の保護範囲内に含まれるべきである。従って、本発明の保護範囲は特許請求の範囲の保護範囲を基準とするべきである。
【図１】
2021536162.tif 000003
【図２】
2021536162.tif 000004
【図３】
2021536162.tif 000005
【図４】
2021536162.tif 000006
【図５】
2021536162.tif 000007
【図６】
2021536162.tif 000008
【図７】
2021536162.tif 000009
【図８】
2021536162.tif 000010
【図９】
2021536162.tif 000011
【図１０】
2021536162.tif 000012
【手続補正書】
【提出日】令和3年7月1日(2021.7.1)
【手続補正１】
【補正対象書類名】特許請求の範囲
【補正対象項目名】全文
【補正方法】変更
【補正の内容】
【特許請求の範囲】
【請求項１】
端末装置がネットワーク装置からの第１サーチスペース構成情報及び第２サーチスペース構成情報を受信することと、
前記端末装置が第１タイマー及び／又は第１制御情報に基づいて、前記第１サーチスペース構成情報又は前記第２サーチスペース構成情報に基づく下り制御チャネルモニタリングを行うことを決定することと、を含む、チャネルモニタリング方法。
【請求項２】
前記第１タイマーの構成情報は、前記ネットワーク装置により構成されたものであり、又は、
前記第１タイマーの構成情報は、事前定義されたものであることを特徴とする
請求項１に記載の方法。
【請求項３】
前記第１タイマーの構成情報は、前記第１タイマーの第１時間長情報を含むことを特徴とする
請求項２に記載の方法。
【請求項４】
前記第１タイマーに基づいて、前記第１サーチスペース構成情報又は前記第２サーチスペース構成情報に基づく下り制御チャネルモニタリングを行うことを決定することは、
前記端末装置が前記第１タイマーを実行し、前記第１サーチスペース構成情報に対応するサーチスペースに基づいて、下り制御チャネルモニタリングを行うことと、
前記端末装置がいずれかの下り制御チャネルモニタリング時刻で前記端末装置に対する下り制御チャネルを検出した場合、前記第１タイマーを再起動し、前記端末装置が前記端末装置に対する下り制御チャネルを検出しなかった場合、第１タイマーが継続して計時することと、
前記第１タイマーがタイムアウトした場合、前記端末装置が前記第２サーチスペース構成情報に対応するサーチスペースに切り替えて下り制御チャネルモニタリングを行うことと、を含むことを特徴とする
請求項１から３のうちいずれか一項に記載の方法。
【請求項５】
前記端末装置が前記ネットワーク装置からの第１制御情報を受信することであって、前記第１制御情報は、下り制御情報（ＤＣＩ）又はメディアアクセス制御制御要素（ＭＡＣ  ＣＥ）である、ことを更に含むことを特徴とする
請求項１から４のうちいずれか一項に記載の方法。
【請求項６】
前記第１制御情報に基づいて、前記第１サーチスペース構成情報又は前記第２サーチスペース構成情報に基づく下り制御チャネルモニタリングを行うことを決定することは、
前記端末装置が前記第１制御情報を受信した場合、第２時間長を経過した後、前記第１制御情報により示されるターゲットサーチスペース構成情報に対応するサーチスペースで下り制御チャネルモニタリングを行うことであって、前記第１制御情報により示されるターゲットサーチスペース構成情報は、前記第１サーチスペース構成情報又は前記第２サーチスペース構成情報である、ことを含むことを特徴とする
請求項１から５のうちいずれか一項に記載の方法。
【請求項７】
前記第２時間長は、前記ネットワーク装置により構成されたものであり、又は、
前記第２時間長は、事前定義されたものであることを特徴とする
請求項６に記載の方法。
【請求項８】
前記第１サーチスペース構成情報又は前記第２サーチスペース構成情報は、１つ又は複数のサーチスペースの構成情報を含むことを特徴とする
請求項１から７のうちいずれか一項に記載の方法。
【請求項９】
ネットワーク装置が端末装置に第１サーチスペース構成情報及び第２サーチスペース構成情報を送信することであって、前記第１サーチスペース構成情報及び前記第２サーチスペース構成情報は、前記端末装置が第１タイマー及び／又は第１制御情報に基づいて、前記第１サーチスペース構成情報又は前記第２サーチスペース構成情報に基づく下り制御チャネルモニタリングの行いを決定するためのものである、ことを含む、チャネルモニタリング方法。
【請求項１０】
前記第１タイマーの構成情報は、前記ネットワーク装置により構成されたものであり、又は、
前記第１タイマーの構成情報は、事前定義されたものであることを特徴とする
請求項９に記載の方法。
【請求項１１】
前記第１タイマーの構成情報は、前記第１タイマーの第１時間長情報を含むことを特徴とする
請求項９又は１０に記載の方法。
【請求項１２】
前記ネットワーク装置が前記端末装置に前記第１制御情報を送信することであって、前記第１制御情報は、下り制御情報（ＤＣＩ）又はメディアアクセス制御制御要素（ＭＡＣ  ＣＥ）である、ことを更に含むことを特徴とする
請求項９から１１のうちいずれか一項に記載の方法。
【請求項１３】
ネットワーク装置からの第１サーチスペース構成情報及び第２サーチスペース構成情報を受信するように構成される第１受信ユニットと、
第１タイマー及び／又は第１制御情報に基づいて、前記第１サーチスペース構成情報又は前記第２サーチスペース構成情報に基づく下り制御チャネルモニタリングを行うことを決定するように構成されるモニタリングユニットと、を備える、チャネルモニタリング装置。
【請求項１４】
前記モニタリングユニットは、前記第１タイマーを実行し、前記第１サーチスペース構成情報に対応するサーチスペースに基づいて、下り制御チャネルモニタリングを行い、いずれかの下り制御チャネルモニタリング時刻で前記端末装置に対する下り制御チャネルが検出された場合、前記第１タイマーを再起動し、前記端末装置に対する下り制御チャネルが検出されていない場合、前記第１タイマーが継続して計時し、前記第１タイマーがタイムアウトした場合、前記第２サーチスペース構成情報に対応するサーチスペースに切り替えて下り制御チャネルモニタリングを行うように構成されることを特徴とする
請求項１３に記載の装置。
【請求項１５】
前記ネットワーク装置からの前記第１制御情報を受信するように構成される第２受信ユニットであって、前記第１制御情報は、下り制御情報（ＤＣＩ）又はメディアアクセス制御制御要素（ＭＡＣ  ＣＥ）である、第２受信ユニットを更に備えることを特徴とする
請求項１３又は１４に記載の装置。
【請求項１６】
前記モニタリングユニットは、前記第２受信ユニットが前記第１制御情報を受信した場合、第２時間長を経過した後、前記第１制御情報により示されるターゲットサーチスペース構成情報に対応するサーチスペースで下り制御チャネルモニタリングを行うように構成され、前記第１制御情報により示されるターゲットサーチスペース構成情報は、前記第１サーチスペース構成情報又は前記第２サーチスペース構成情報であることを特徴とする
請求項１３から１５のうちいずれか一項に記載の装置。
【請求項１７】
端末装置に第１サーチスペース構成情報及び第２サーチスペース構成情報を送信するように構成される第１送信ユニットであって、前記第１サーチスペース構成情報及び前記第２サーチスペース構成情報は、前記端末装置が第１タイマー及び／又は第１制御情報に基づいて、前記第１サーチスペース構成情報又は前記第２サーチスペース構成情報に基づく下り制御チャネルモニタリングの行いを決定するためのものである、第１送信ユニットを備える、チャネルモニタリング装置。
【請求項１８】
前記第１タイマーの構成情報は、前記ネットワーク装置により構成されたもの、又は、事前定義されたものであり
及び／又は
前記第１タイマーの構成情報は、前記第１タイマーの第１時間長情報を含むことを特徴とする
請求項１７に記載の装置。
【請求項１９】
前記端末装置に前記第１制御情報を送信するように構成される第２送信ユニットであって、前記第１制御情報は、下り制御情報（ＤＣＩ）又はメディアアクセス制御制御要素（ＭＡＣ  ＣＥ）である、第２送信ユニットを更に備えることを特徴とする
請求項１７又は１８に記載の装置。
【請求項２０】
前記第１サーチスペース構成情報又は前記第２サーチスペース構成情報は、１つ又は複数のサーチスペースの構成情報を含むことを特徴とする
請求項１７から１９のうちいずれか一項に記載の装置。
【国際調査報告】
2021536162.tif 000013
2021536162.tif 000014
2021536162.tif 000015
2021536162.tif 000016